(57)【要約】【課題】遠隔から無線通信機器に対してネットワーク識別子の設定を直接かつ効率よく行えるようにする。【解決手段】無線通信機器２−３に、自身のネットワーク識別子（第１のネットワーク識別子（ＰＡＮＩＤ＝０））と、無線操作端末３に設定されている固有のネットワーク識別子と同一のネットワーク識別子（第２のネットワーク識別子（固定ＰＡＮＩＤ＝９９９９））を設定する。無線通信機器２−３は、第１のネットワーク識別子によって特定される無線ネットワークへの接続要求と第２のネットワーク識別子によって特定される無線ネットワークへの接続要求とを交互に繰り返す。無線操作端末３が固定ＰＡＮＩＤ＝９９９９によって特定される無線ネットワークを開催すると、この無線ネットワークに無線通信機器２−３が接続される。これにより、無線操作端末３から無線通信機器２−３のネットワーク識別子（第１のネットワーク識別子）の更新が可能となる。【選択図】  図６
2011030053.tif 000002
【特許請求の範囲】
【請求項１】
ネットワーク識別子によって特定される無線ネットワークと、自己に設定されるネットワーク識別子と同一のネットワーク識別子で特定される前記無線ネットワークに接続される無線通信機器と、固有のネットワーク識別子が設定された機器情報設定端末とを備えた無線通信システムであって、
前記無線通信機器は、
前記自己に設定されるネットワーク識別子を第１のネットワーク識別子とし、前記機器情報設定端末に設定されている固有のネットワーク識別子と同一のネットワーク識別子を第２のネットワーク識別子とし、この第１のネットワーク識別子および第２のネットワーク識別子を記憶するネットワーク識別子記憶手段と、
前記第１のネットワーク識別子によって特定される無線ネットワークへの接続要求を行い、この第１のネットワーク識別子によって特定される無線ネットワークと接続することができなかった場合、前記第２のネットワーク識別子によって特定される無線ネットワークへの接続要求を行う無線ネットワーク接続手段と、
前記第２のネットワーク識別子によって特定される無線ネットワークとの接続中、前記機器情報設定端末から送られてくる当該機器情報設定端末においてユーザが指定した所望のネットワーク識別子を受信し、この受信したネットワーク識別子を自己に設定される新たなネットワーク識別子として前記ネットワーク識別子記憶手段が記憶している第１のネットワーク識別子を更新するネットワーク識別子更新手段とを備え、
前記機器情報設定端末は、
前記固有のネットワーク識別子を記憶する固有ネットワーク識別子記憶手段と、
ユーザが指定する所望のネットワーク識別子の入力部と、
この入力部より入力されたネットワーク識別子を前記無線通信機器へ送信するネットワーク識別子送信手段と
を備えることを特徴とする無線通信システム。
【請求項２】
請求項１に記載された無線通信システムにおいて、
前記無線ネットワーク接続手段は、
前記第１のネットワーク識別子によって特定される無線ネットワークへの接続要求および前記第２のネットワーク識別子によって特定される無線ネットワークへの接続要求をその何れか一方の無線ネットワークと接続されるまで交互に繰り返す
ことを特徴とする無線通信システム。
【請求項３】
請求項１又は２に記載された無線通信システムにおいて、
前記機器情報設定端末は、
ユーザ操作により、前記第２のネットワーク識別子により特定される無線ネットワークの開催および停止を行う無線ネットワーク管理手段
を備えることを特徴とする無線通信システム。
【請求項４】
請求項３に記載された無線通信システムにおいて、
前記機器情報設定端末は、
前記無線ネットワーク管理手段によって開催された前記第２のネットワーク識別子により特定される無線ネットワークに接続された前記無線通信機器の一覧を表示する無線通信機器一覧表示手段と、
前記表示された無線通信機器の一覧から所望の無線通信機器が選択された場合その無線通信機器に対する前記ネットワーク識別子の入力部を表示するネットワーク識別子入力部表示手段と
を備えることを特徴とする無線通信システム。
【請求項５】
請求項１〜４の何れか１項に記載された無線通信システムにおいて、
前記無線通信機器は、
前記第１のネットワーク識別子によって特定される無線ネットワークおよび前記第２のネットワーク識別子によって特定される無線ネットワークの何れか一方との接続後、その接続された無線ネットワークが存在しているか否かを定周期で確認し、接続された無線ネットワークの存在が確認されなくなった場合、前記無線ネットワーク接続手段の動作を開始させるネットワーク存在確認手段
を備えることを特徴とする無線通信システム。
【請求項６】
請求項１〜５の何れか１項に記載された無線通信システムにおいて、
前記無線通信機器は、
前記第１のネットワーク識別子により特定される無線ネットワークに接続された状態ではその動作モードを定周期でスリープモードからアクティブモードに移行させる定周期アクティブモード移行手段と、
前記第２のネットワーク識別子により特定される無線ネットワークに接続された状態ではその動作モードをアクティブモードの状態に維持するアクティブモード維持手段と
を備えることを特徴とする無線通信システム。
【発明の詳細な説明】
【技術分野】
【０００１】
この発明は、ネットワーク識別子を用いた無線通信システムに関するものである。
【背景技術】
【０００２】
従来より、この種の無線通信システムでは、システム内に存在する無線ネットワークをネットワーク識別子を用いて特定するようにしている。例えば、無線ＬＡＮの場合にはネットワーク識別子としてＥＳＳＩＤを用い、ジグビー（Ｚｉｇｂｅｅ（登録商標））プロトコルを利用した無線通信システムではＰＡＮＩＤを用い、そのシステム内の無線ネットワークを特定する。
【０００３】
この場合、無線ネットワークを構成する無線通信機器は、自己に設定されているネットワーク識別子（以下、自身のネットワーク識別子とも呼ぶ）と同一のネットワーク識別子で特定される無線ネットワークに接続される。例えば、自身のネットワーク識別子がＰＡＮＩＤ＝１００とされていた場合、ＰＡＮＩＤ＝１００で特定される無線ネットワークに接続される。
【０００４】
このネットワーク識別子は無線通信機器に直接付番され、付番されるネットワーク識別子が機器の設置段階で決まっていない場合には、機器設置後に付番作業が必要となる。通常、このネットワーク識別子の付番作業は、手動で行われている。なお、無線通信機器には、工場出荷段階で、ネットワーク識別子の初期値がＰＡＮＩＤ＝０などとして設定されている。
【先行技術文献】
【特許文献】
【０００５】
【特許文献１】特開２００６−１９１２４４号公報
【発明の概要】
【発明が解決しようとする課題】
【０００６】
しかしながら、無線通信機器は天井裏に設置されることが多く、この無線通信機器へのネットワーク識別子の付番作業が煩雑であるという問題があった。この問題は、設置後に誤付番を正す場合や再付番する場合も同様にして生じる。
【０００７】
なお、特許文献１には、センサと、センサに接続された無線ノードとを含む端末装置からなる無線センサネットワークにおいて、端末装置が、予め定められた事象を受信した時に予め設定された所定サーバに予め定められた事象の受信を通知し、この通知に応答して所定サーバから通知された遷移すべきネットワーク識別子に遷移することを特徴とする無線センサネットワークが開示されている。この無線センサネットワークでは、無線端末に対して遠隔からネットワーク識別子を通知することが可能である。
【０００８】
しかしながら、この特許文献１に示された構成を適用した場合、各無線通信機器が所定の信号を受信した時に、サーバに通知し、サーバからネットワーク識別子を受信する構成となるが、予めサーバ側に対応関係を記憶させる作業が必要となり、またサーバを通信圏内に設置しなければならない。複数の無線通信機器が存在し、ネットワーク識別子の初期設定から運用後の修正などを効率的に行うためには、本構成では作業効率およびコスト面から不十分である。
【０００９】
本発明は、このような課題を解決するためになされたもので、その目的とするところは、遠隔から無線通信機器に対してネットワーク識別子の設定を直接かつ効率よく行うことが可能な無線通信システムを提供することにある。
【課題を解決するための手段】
【００１０】
このような目的を達成するために本発明は、ネットワーク識別子によって特定される無線ネットワークと、自己に設定されるネットワーク識別子と同一のネットワーク識別子で特定される無線ネットワークに接続される無線通信機器と、固有のネットワーク識別子が設定された機器情報設定端末とを備えた無線通信システムであって、無線通信機器に、自己に設定されるネットワーク識別子を第１のネットワーク識別子とし、機器情報設定端末に設定されている固有のネットワーク識別子と同一のネットワーク識別子を第２のネットワーク識別子とし、この第１のネットワーク識別子および第２のネットワーク識別子を記憶するネットワーク識別子記憶手段と、第１のネットワーク識別子によって特定される無線ネットワークへの接続要求を行い、この第１のネットワーク識別子によって特定される無線ネットワークと接続することができなかった場合、第２のネットワーク識別子によって特定される無線ネットワークへの接続要求を行う無線ネットワーク接続手段と、第２のネットワーク識別子によって特定される無線ネットワークとの接続中、機器情報設定端末から送られてくる当該機器情報設定端末においてユーザが指定した所望のネットワーク識別子を受信し、この受信したネットワーク識別子を自己に設定される新たなネットワーク識別子としてネットワーク識別子記憶手段が記憶している第１のネットワーク識別子を更新するネットワーク識別子更新手段とを設け、機器情報設定端末に、固有のネットワーク識別子を記憶する固有ネットワーク識別子記憶手段と、ユーザが指定する所望のネットワーク識別子の入力部と、この入力部より入力されたネットワーク識別子を無線通信機器へ送信するネットワーク識別子送信手段とを設けたものである。
【００１１】
この発明において、無線ネットワーク接続手段は、第１のネットワーク識別子によって特定される無線ネットワークへの接続要求を行い、この第１のネットワーク識別子によって特定される無線ネットワークと接続することができなかった場合、第２のネットワーク識別子によって特定される無線ネットワークへの接続要求を行うが、その具体例として、第１のネットワーク識別子によって特定される無線ネットワークへの接続要求および第２のネットワーク識別子によって特定される無線ネットワークへの接続要求をその何れか一方の無線ネットワークと接続されるまで交互に繰り返すようにすることが考えられる。
【００１２】
また、機器情報設定端末に、ユーザ操作により、第２のネットワーク識別子により特定される無線ネットワークの開催および停止を行う無線ネットワーク管理手段を設けたり、無線ネットワーク管理手段によって開催された第２のネットワーク識別子により特定される無線ネットワークに接続された無線通信機器の一覧を表示する無線通信機器一覧表示手段、表示された無線通信機器の一覧から所望の無線通信機器が選択された場合その無線通信機器に対するネットワーク識別子の入力部を表示するネットワーク識別子入力部表示手段を設けるようしてもよい。
【００１３】
また、無線通信機器に、第１のネットワーク識別子によって特定される無線ネットワークおよび第２のネットワーク識別子によって特定される無線ネットワークの何れか一方との接続後、その接続された無線ネットワークが存在しているか否かを定周期で確認し、接続された無線ネットワークの存在が確認されなくなった場合、無線ネットワーク接続手段の動作を開始させるネットワーク存在確認手段を設けるようにしてもよい。
【００１４】
また、無線通信機器に、第１のネットワーク識別子により特定される無線ネットワークに接続された状態ではその動作モードを定周期でスリープモードからアクティブモードに移行させる定周期アクティブモード移行手段と、第２のネットワーク識別子により特定される無線ネットワークに接続された状態ではその動作モードをアクティブモードの状態に維持するアクティブモード維持手段とを設けるようにしてもよい。
【発明の効果】
【００１５】
本発明によれば、無線通信機器に機器情報設定端末に設定されている固有のネットワーク識別子と同一のネットワーク識別子を第２のネットワーク識別子として記憶させ、この第２のネットワーク識別子によって特定される無線ネットワークへの接続要求を行い、この第２のネットワーク識別子によって特定される無線ネットワークとの接続中、機器情報設定端末から送られてくる当該機器情報設定端末においてユーザが指定した所望のネットワーク識別子を受信し、この受信したネットワーク識別子を自己に設定されている新たなネットワーク識別子として第１のネットワーク識別子を更新するようにしたので、機器情報設定端末から無線通信機器に対してネットワーク識別子の設定を直接かつ効率よく行うことが可能となる。
【図面の簡単な説明】
【００１６】
【図１】本発明に係る無線通信システムをジグビープロトコルを利用した無線通信システムへ適用した例を示す図である。
【図２】この無線通信システムにおける無線通信機器が実行する特有の処理動作を示すフローチャートである。
【図３】この無線通信システムにおける無線操作端末が実行する特有の処理動作を示すフローチャートである。
【図４】この無線通信システムにおいて無線操作端末から所望のネットワーク識別子を無線通信機器に設定する際の動作を説明するためのシーケンス図である。
【図５】この無線通信システムにおいて無線操作端末が開催する無線ネットワークへ無線通信機器が接続された状態を示す図である。
【図６】無線操作端末からのユーザが指定する所望のネットワーク識別子により無線通信機器におけるネットワーク識別子（第１のネットワーク識別子）が更新される様子を示す図である。
【図７】無線操作端末が開催している無線ネットワークを停止した状態を示す図である。
【図８】ネットワーク識別子（第１のネットワーク識別子）が更新された無線通信機器がコーディネータが開催している無線ネットワークへの接続に成功した状態を示す図である。
【図９】無線操作端末が表示する無線通信機器の一覧およびユーザからの所望のネットワーク識別子の入力部を示す図である。
【図１０】無線通信機器の機能ブロック図である。
【図１１】無線操作端末の機能ブロック図である。
【図１２】無線通信機器を無線センサとした場合の無線操作端末からネットワーク識別子を設定する際のシーケンス図である。
【図１３】無線操作端末が開催する無線ネットワークへ無線センサが接続された状態を示す図である。
【図１４】無線操作端末が表示する無線通信機器の一覧およびユーザからの所望のネットワーク識別子の入力部を示す図である。
【図１５】無線操作端末からのユーザが指定する所望のネットワーク識別子により無線センサにおけるネットワーク識別子（第１のネットワーク識別子）が更新される様子を示す図である。
【図１６】無線センサをコーディネータが開催している無線ネットワークの接続可能圏内に設置した状態を示す図である。
【図１７】ネットワーク識別子（第１のネットワーク識別子）が更新された無線センサがコーディネータが開催している無線ネットワークへの接続に成功した状態を示す図である。
【図１８】無線センサの機能ブロック図である。
【発明を実施するための形態】
【００１７】
以下、本発明を図面に基づいて詳細に説明する。図１に本発明に係る無線通信システムをジグビープロトコルを利用した無線通信システムへ適用した例を示す。
【００１８】
この例では、天井裏に、コーディネータ１および４台のルータ２（２−１〜２−４）が設置されている。また、居室内に、携帯型の無線操作端末３を配置している。この無線通信システムでは、ルータ２が本発明でいう無線通信機器に対応し、無線操作端末３が機器情報設定端末に対応する。以下、ルータ２を無線通信機器と呼ぶ。
【００１９】
また、この例において、コーディネータ１にはネットワーク識別子としてＰＡＮＩＤ＝１００が設定され、無線操作端末３には固有のネットワーク識別子として固定ＰＡＮＩＤ＝９９９９が設定されている。また、無線通信機器２−１〜２−４には、固有の識別子（物理識別子）と、自身のネットワーク識別子（第１のネットワーク識別子）と、無線操作端末３に設定されている固有のネットワーク識別子と同一のネットワーク識別子（第２のネットワーク識別子）が設定されている。
【００２０】
この例では、無線通信機器２−１に識別子＃０１とＰＡＮＩＤ＝１００（第１のネットワーク識別子）と固定ＰＡＮＩＤ＝９９９９（第２のネットワーク識別子）が設定されている。同様にして、無線通信機器２−２に識別子＃０２とＰＡＮＩＤ＝１００と固定ＰＡＮＩＤ＝９９９９が設定され、無線通信機器２−３に識別子＃０３とＰＡＮＩＤ＝０と固定ＰＡＮＩＤ＝９９９９が設定され、無線通信機器２−４に識別子＃０４とＰＡＮＩＤ＝０と固定ＰＡＮＩＤ＝９９９９が設定されている。
【００２１】
また、この例では、コーディネータ１がＰＡＮＩＤ＝１００で特定される無線ネットワークを開催し、このコーディネータ１が開催するＰＡＮＩＤ＝１００で特定される無線ネットワークに無線通信機器２−１，２−２が接続されているものとする。すなわち、無線通信機器２−１，２−２は、自身のネットワーク識別子としてＰＡＮＩＤ＝１００が設定されているため、このＰＡＮＩＤ＝１００で特定されるコーディネータ１が開催する無線ネットワークに接続されている。
【００２２】
また、この例において、無線操作端末３は、固定ＰＡＮＩＤ＝９９９９で特定される無線ネットワークを開催するコーディネータとしての機能を有しているが、この状態では固定ＰＡＮＩＤ＝９９９９で特定される無線ネットワークをまだ開催しておらず、無線通信機器２−３，２−４はどの無線ネットワークにも接続されていないものとする。また、無線通信機器２−３，２−４は無線操作端末３の通信可能圏内に位置しているものとする。
【００２３】
以下、このような状態になっていることを前提として、無線通信機器２および無線操作端末３が有する特有の機能について、図２および図３に示すフローチャートおよび図４に示すシーケンス図を参照しながら説明する。
【００２４】
〔無線通信機器からの無線ネットワークへの接続要求〕
無線通信機器２−３，２−４は、自身のネットワーク識別子すなわち第１のネットワーク識別子（ＰＡＮＩＤ＝０）で特定される無線ネットワークに対して接続要求を行う（ステップＳ１０１（図２）、図４：矢印（１））。この例では、接続要求として、ジグビープロトコルの規約に基づいて、ネットワーク加入プロセスを実行する。しかし、ＰＡＮＩＤＩＤ＝０で特定される無線ネットワークは存在しないため、第１のネットワーク識別子で特定される無線ネットワークへの接続に失敗する（ステップＳ１０２のＮＯ）。
【００２５】
そこで、無線通信機器２−３，２−４は、無線操作端末３に設定されている固有のネットワーク識別子と同一のネットワーク識別子すなわち第２のネットワーク識別子（固定ＰＡＮＩＤ＝９９９９）で特定される無線ネットワークに対して接続要求を行う（ステップＳ１０３、図４：矢印（２））。この場合、無線操作端末３は、固定ＰＡＮＩＤ＝９９９９で特定される無線ネットワークを開催していないため、第２のネットワーク識別子（固定ＰＡＮＩＤ＝９９９９）で特定される無線ネットワークへの接続にも失敗する（ステップＳ１０４のＮＯ）。
【００２６】
無線通信機器２−３，２−４は、第１のネットワーク識別子（ＰＡＮＩＤ＝０）で特定される無線ネットワークへの接続も第２のネットワーク識別子（固定ＰＡＮＩＤ＝９９９９）で特定される無線ネットワークへの接続にも失敗するため、ステップＳ１０１〜Ｓ１０４の処理動作を繰り返す。すなわち、第１のネットワーク識別子で特定される無線ネットワークへの接続要求および第２のネットワーク識別子で特定される無線ネットワークへの接続要求を交互に繰り返す。
【００２７】
〔無線操作端末からの無線ネットワークの開催〕
ここで、無線操作端末３において、ユーザ操作により、固定ＰＡＮＩＤ＝９９９９で特定される無線ネットワークが開催されたとする（図４：矢印（３））。この場合、無線操作端末３は、ユーザからのネットワーク開催要求を待ち（ステップＳ２０１（図３））、ユーザからのネットワーク開催要求があると（ステップＳ２０２のＹＥＳ）、固定ＰＡＮＩＤ＝９９９９で特定される無線ネットワークを開催する（ステップＳ２０３）。そして、この開催した固定ＰＡＮＩＤ＝９９９９で特定される無線ネットワークへの参加ノードを待つ（ステップＳ２０４）。
【００２８】
〔無線操作端末が開催する無線ネットワークへの無線通信機器の接続〕
無線通信機器２−３，２−４は、第１のネットワーク識別子（ＰＡＮＩＤ＝０）で特定される無線ネットワークへの接続要求および第２のネットワーク識別子（固定ＰＡＮＩＤ＝９９９９）で特定される無線ネットワークへの接続要求を交互に繰り返しており、固定ＰＡＮＩＤ＝９９９９で特定される無線ネットワークが開催されると、第２のネットワーク識別子（固定ＰＡＮＩＤ＝９９９９）で特定される無線ネットワークへの接続に成功する（ステップＳ１０４のＹＥＳ、図４：矢印（５−３），（５−４））。
【００２９】
図５に無線操作端末３が開催する固定ＰＡＮＩＤ＝９９９９で特定される無線ネットワークへ無線通信機器２−３，２−４が接続された状態を示す。この例では、無線操作端末３をコーディネータとし、無線操作端末３の子ノードとして無線通信機器２−３，２−４が接続されるため、無線操作端末３は無線通信機器２−３，２−４が接続されたことを認識することができる。
【００３０】
なお、無線ネットワークに参加したことが無線操作端末３で認識できるようになっていない無線通信プロトコル上で本発明を実施する場合には、無線通信機器２−３，２−４から無線ネットワークとの接続時に無線操作端末３に対して自身の接続を通知するパケットを送信するようにし、そのパケットの受信によって無線操作端末３において無線通信機器２−３，２−４の接続を認識するようにしてもよい。
【００３１】
〔無線操作端末が開催する無線ネットワークに接続された無線通信機器の一覧の表示〕  
無線操作端末３は、自己が開催する固定ＰＡＮＩＤ＝９９９９で特定される無線ネットワークへの無線通信機器２−３，２−４の接続を確認すると（ステップＳ２０５のＹＥＳ）、この無線通信機器２−３，２−４の識別子＃０３，＃０４を自己が開催している無縁ネットワークに接続された無線通信機器の一覧Ｇ１（図９（ａ））中に表示する（ステップＳ２０６）。
【００３２】
なお、ステップＳ２０６では、無線操作端末３から無線通信機器２−３，２−４に対して固有の識別子を問い合わせるメッセージを送信し（図４：矢印（６−１），（６−２））、この問い合わせに対する無線通信機器２−３，２−４からの応答メッセージを受信し（図４：矢印（７−１），（７−２））、この応答メッセージに含まれる無線通信機器２−３，２−４の識別子＃０３，＃０４を無線通信機器の一覧Ｇ１中に表示する。
【００３３】
〔無線通信機器からの接続した無線ネットワークが存在しているか否かの定期的な確認〕
無線通信機器２−３，２−４は、無線操作端末３が開催する固定ＰＡＮＩＤ＝９９９９で特定される無線ネットワークへの接続に成功すると、この無線ネットワークが存在するか否かのネットワーク存在確認メッセージを親ノードである無線操作端末３へ送信する（ステップＳ１０７、図４：矢印（８−１），（８−２））。
【００３４】
無線操作端末３は、無線通信機器２−３，２−４からのネットワーク存在確認メッセージを受信して（ステップＳ２１１のＹＥＳ）、固定ＰＡＮＩＤ＝９９９９で特定される無線ネットワークが存在することを示す存在メッセージを返送する（ステップＳ２１２、図４：矢印（９−１），（９−２））。
【００３５】
無線通信機器２−３，２−４は、無線操作端末３からの存在メッセージを受信して（ステップＳ１０８のＹＥＳ）、無線操作端末３へのネットワーク存在確認メッセージの送信を繰り返す（ステップＳ１０７）。
【００３６】
〔無線操作端末からの無線通信機器への所望のネットワーク識別子の設定〕
ここで、ユーザは、無線通信機器２−３および２−４に、所望のネットワーク識別子としてＰＡＮＩＤ＝１００を設定したいとする。
【００３７】
この場合、ユーザは、無線操作端末３が表示している無線通信機器の一覧Ｇ１（図９（ａ））中、先ず無線通信機器２−３の識別子＃０３を選択する。すると、無線操作端末３は、ネットワーク識別子の入力部Ｇ２（図９（ｂ））を表示する。この入力部Ｇ２より、ユーザは、所望のネットワーク識別子としてＰＡＮＩＤ＝１００を入力する。
【００３８】
すると、無線操作端末３は、この入力部Ｇ２より入力されたネットワーク識別子をユーザが指定した所望のネットワーク識別子として、無線通信機器２−３へ送信する（ステップＳ２０７〜Ｓ２０９、図４：矢印（１０））。
【００３９】
無線通信機器２−３は、無線操作端末３から送信されてくるネットワーク識別子を受信し（ステップＳ１０５のＹＥＳ）、この受信したネットワーク識別子を自身の新たなネットワーク識別子として、メモリに記憶されている現在の自身のネットワーク識別子（第１のネットワーク識別子）を更新する（ステップＳ１０６）。これにより、メモリに記憶されているＰＡＮＩＤ＝０がＰＡＮＩＤ＝１００に書き替えられる（図６参照）。
【００４０】
次に、ユーザは、無線操作端末３が表示している無線通信機器の一覧Ｇ１（図９（ａ））中、無線通信機器２−４の識別子＃０４を選択する。すると、無線操作端末３は、識別子＃０３が選択された場合と同様にして、ユーザからの所望のネットワーク識別子の入力部Ｇ２（図９（ｂ））を表示する。そして、ユーザは、この入力部Ｇ２より、所望のネットワーク識別子としてＰＡＮＩＤ＝１００を入力する。
【００４１】
すると、無線操作端末３は、この入力部Ｇ２より入力されたネットワーク識別子をユーザが指定した所望のネットワーク識別子として無線通信機器２−４へ送信する（ステップＳ２０７〜Ｓ２０９、図４：矢印（１１））。
【００４２】
無線通信機器２−４は、無線操作端末３から送信されてくるネットワーク識別子を受信し（ステップＳ１０５のＹＥＳ）、この受信したネットワーク識別子を自身の新たなネットワーク識別子として、メモリに記憶されている現在の自身のネットワーク識別子（第１のネットワーク識別子）を更新する（ステップＳ１０６）。これにより、メモリに記憶されているＰＡＮＩＤ＝０がＰＡＮＩＤ＝１００に書き替えられる（図６参照）。
【００４３】
〔更新された自身のネットワーク識別子で特定される無線ネットワークへの加入リトライ〕
ユーザは、このようにして無線通信機器２−３，２−４に所望のネットワーク識別子を設定した後、無線操作端末３が開催している固定ＰＡＮＩＤ＝９９９９で特定される無線ネットワークの動作を停止させる（図４：矢印（１２））。
【００４４】
ユーザからの無線ネットワークの停止要求を受けると（ステップＳ２１４のＹＥＳ）、無線操作端末３は、ユーザからの無線ネットワークの開催要求待ち状態に戻る（ステップＳ２０１、図７参照）。
【００４５】
無線操作端末３が開催している固定ＰＡＮＩＤ＝９９９９で特定される無線ネットワークの動作が停止されると、無線通信機器２−３，２−４から送信されるネットワーク存在確認メッセージに対し（図４：矢印（１３−１），（１３−２））、無線操作端末３からの存在メッセージの応答がなくなる（図４：矢印（１４−１），（１４−２））。
【００４６】
これにより、無線通信機器２−３，２−４は、ステップＳ１０８のＮＯに応じて、ステップＳ１０１へ戻り、自身のネットワーク識別子すなわち更新された第１のネットワーク識別子（ＰＡＮＩＤ＝１００）で特定される無線ネットワークに対して接続要求を行う。
【００４７】
この場合、コーディネータ１によってＰＡＮＩＤ＝１００によって特定される無線ネットワークが開催されており、無線通信機器２−３，２−４はこのコーディネータ１が開催しているＰＡＮＩＤ＝１００によって特定される無線ネットワークへの接続に成功する（ステップＳ１０２のＹＥＳ、図４：矢印（１５−１），（１５−２）、図８参照）。
【００４８】
このＰＡＮＩＤ＝１００によって特定される無線ネットワークへの接続後、無線通信機器２−３，２−４は、この無線ネットワークが存在するか否かのネットワーク存在確認メッセージを親ノードであるコーディネータ１へ送信する（ステップＳ１０７，Ｓ１０８、図４：矢印（１６−１），（１６−２））。このコーディネータ１へのネットワーク存在確認メッセージの送信は定期的に行われる。
【００４９】
なお、この例では、無線通信機器２−３，２−４からのＰＡＮＩＤ＝１００（第１のネットワーク識別子）で特定される無線ネットワークへの接続に成功するものとしたが（ステップＳ１０２のＹＥＳ）、この無線ネットワークとの接続が失敗した場合には（ステップＳ１０２のＮＯ）、固定ＰＡＮＩＤ＝９９９９（第２のネットワーク識別子）で特定される無線ネットワークへの接続要求が行われる（ステップＳ１０３）。
【００５０】
この場合、固定ＰＡＮＩＤ＝９９９９（第２のネットワーク識別子）で特定される無線ネットワークとの接続にも失敗するため、無線通信機器２−３，２−４は、第１のネットワーク識別子で特定される無線ネットワークへの接続要求および第２のネットワーク識別子で特定される無線ネットワークへの接続要求を、何れか一方の無線ネットワークと接続されるまで交互に繰り返すものとなる。
【００５１】
〔機能ブロック図〕
この無線通信ネットワークにおいて、無線通信機器２および無線操作端末３は、プロセッサや記憶装置からなるハードウェアと、これらのハードウェアと協働して各種機能を実現させるプログラムとによって実現される。図１０に無線通信機器２の機能ブロック図を示し、図１１に無線操作端末３の機能ブロック図を示す。
【００５２】
無線通信機器２は、自身のネットワーク識別子（第１のネットワーク識別子（ＰＡＮＩＤ＝０））および無線操作端末３に設定されている固有のネットワーク識別子と同一のネットワーク識別子（第２のネットワーク識別子（固定ＰＡＮＩＤ＝９９９９））を記憶するネットワーク識別子記憶部２Ａと、第１のネットワーク識別子によって特定される無線ネットワークへの接続要求および第２のネットワーク識別子によって特定される無線ネットワークへの接続要求をその何れか一方の無線ネットワークと接続されるまで交互に繰り返す無線ネットワーク接続部２Ｂとを備えている。
【００５３】
また、無線通信機器２は、無線ネットワーク接続部２Ｂによる第１のネットワーク識別子によって特定される無線ネットワークおよび第２の第１のネットワーク識別子によって特定される無線ネットワークの何れか一方との接続後、その接続された無線ネットワークの親ノードに対してその無線ネットワークが存在するか否かのネットワーク存在確認メッセージを送り、接続された無線ネットワークの親ノードからその無線ネットワークが存在する旨の応答が返送されてこなかった場合、無線ネットワーク接続部２Ｂの動作を開始させるネットワーク存在確認部２Ｃと、第２のネットワーク識別子によって特定される無線ネットワークとの接続中、無線操作端末３から送られてくる当該無線操作端末３においてユーザが指定した所望のネットワーク識別子を受信し、この受信したネットワーク識別子を自身の新たなネットワーク識別子としてネットワーク識別子記憶部２Ａが記憶している第１のネットワーク識別子を更新するネットワーク識別子更新部２Ｄとを備えている。
【００５４】
この無線通信機器２の構成において、無線ネットワーク接続部２Ｂは、ネットワーク識別子記憶部２Ａに記憶されている第１のネットワーク識別子によって特定される無線ネットワークへの接続要求を行う第１の無線ネットワーク接続部２Ｂ１と、ネットワーク識別子記憶部２Ａに記憶されている第２のネットワーク識別子によって特定される無線ネットワークへの接続要求を行う第２の無線ネットワーク接続部２Ｂ２とから構成され、第１の無線ネットワーク接続部２Ｂ１は、第１のネットワーク識別子によって特定される無線ネットワークと接続することができなかった場合に第２の無線ネットワーク接続部２Ｂ２へ実行要求を送り、第２の無線ネットワーク接続部２Ｂ２は、第２のネットワーク識別子によって特定される無線ネットワークと接続することができなかった場合に第１の無線ネットワーク接続部２Ｂ１へ実行要求を送る。また、第１の無線ネットワーク接続部２Ｂ１は、第１のネットワーク識別子によって特定される無線ネットワークと接続することができた場合、その無線ネットワークの親ノードに対するネットワーク存在確認メッセージの定期的な送信をネットワーク存在確認部２Ｃへ指示し、第２の無線ネットワーク接続部２Ｂ２は、第２のネットワーク識別子によって特定される無線ネットワークと接続することができた場合、その無線ネットワークの親ノードに対するネットワーク存在確認メッセージの定期的な送信をネットワーク存在確認部２Ｃへ指示する。
【００５５】
なお、無線ネットワーク接続部２Ｂでの第１の無線ネットワーク接続部２Ｂ１および第２の無線ネットワーク接続部２Ｂ２の実行順序は、第１の無線ネットワーク接続部２Ｂ１，第２の無線ネットワーク接続部２Ｂ２の順とされている。すなわち、ネットワーク存在確認部２Ｃから無線ネットワーク接続部２Ｂへの動作を開始させる実行要求が送られてきた場合、最初に第１の無線ネットワーク接続部２Ｂ１による第１のネットワーク識別子によって特定される無線ネットワークへの接続要求が行われ、第１のネットワーク識別子によって特定される無線ネットワークへの接続ができなかった場合、第２の無線ネットワーク接続部２Ｂ２による第２のネットワーク識別子によって特定される無線ネットワークへの接続要求が行われる。
【００５６】
この無線通信機器２の機能ブロック図において、ネットワーク識別子記憶部２Ａが本発明でいうネットワーク識別子記憶手段に相当し、無線ネットワーク接続部２Ｂが無線ネットワーク接続手段に相当し、ネットワーク存在確認部２Ｃがネットワーク存在確認手段に相当し、ネットワーク識別子更新部２Ｄがネットワーク識別子更新手段に相当する。
【００５７】
無線操作端末３は、固有のネットワーク識別子（ＰＡＮＩＤ＝９９９９）を記憶する固有ネットワーク識別子記憶部３Ａと、固有ネットワーク識別子記憶部３Ａに記憶されている固有のネットワーク識別子すなわち第２のネットワーク識別子によって特定される無線ネットワークの開催および停止を行う無線ネットワーク管理部３Ｂと、無線ネットワーク管理部３Ｂによって開催された第２のネットワーク識別子により特定される無線ネットワークに接続された無線通信機器２に対して固有の識別子の問い合わせるメッセージを送信し、この問い合わせに対する無線通信機器２からの応答メッセージを受信するノード情報取得部３Ｃとを備えている。
【００５８】
また、無線操作端末３は、ノード情報取得部３Ｃが受信した応答メッセージに含まれる固有の識別子を無線通信機器の一覧Ｇ１中に表示するノード情報表示部３Ｄと、このノード情報表示部３Ｄが表示する無線通信機器の一覧Ｇ１から所望の無線通信機器が選択された場合その無線通信機器に対するネットワーク識別子の入力部Ｇ２を表示するネットワーク識別子入力部表示部３Ｅと、このネットワーク識別子入力部表示部３Ｅが表示するネットワーク識別子の入力部Ｇ２より入力されたネットワーク識別子を無線通信機器２へ送信するネットワーク識別子送信部３Ｆとを備えている。
【００５９】
この無線操作端末３の機能ブロック図において、固有ネットワーク識別子記憶部３Ａが本発明でいう固有ネットワーク識別子記憶手段に相当し、無線ネットワーク管理部３Ｂが無線ネットワーク管理手段に相当し、ノード情報取得部３Ｃおよびノード情報表示部３Ｂが無線通信機器一覧表示手段に相当し、ネットワーク識別子入力部表示部３Ｅがネットワーク識別子入力部表示手段に相当し、ネットワーク識別子送信部３Ｆがネットワーク識別子送信手段に相当する。
【００６０】
なお、上述した実施の形態では、無線通信機器２にネットワーク存在確認部２Ｃを設け、接続に成功した無線ネットワークの親ノードに対してネットワーク存在確認メッセージを定期的に送信し、このネットワーク存在確認メッセージに対する応答を受信しなくなったことによって、その無線ネットワークが存在しなくなったことを確認するようにしたが、接続に成功した無線ネットワークの親ノードから自己が開催している無線ネットワークを停止する旨の通知を送るようにし、この通知を受信することによって無線通信機器２において、その無線ネットワークが存在しなくなったことを確認するようにしてもよい。
【００６１】
また、上述した実施の形態では、無線操作端末３において、自己が開催する固定ＰＡＮＩＤ＝９９９９で特定される無線ネットワークに接続された無線通信機器の一覧Ｇ１を表示するようにし、この無線通信機器の一覧Ｇ１から選択された無線通信機器に対するネットワーク識別子の入力部Ｇ２を表示するようにしたが、このネットワーク識別子の入力部Ｇ２にその無線通信機器に設定されている現在の自身のネットワーク識別子を表示するようにしてもよい。すなわち、無線通信機器の一覧Ｇ１から所望の無線通信機器が選択された場合、その無線通信機器に対して設定されている現在の自身のネットワーク識別子を問い合わせ、この問い合わせに応じて返送されてくるネットワーク識別子を新たなネットワーク識別子を入力する際の参考として、ネットワーク識別子の入力部Ｇ２に表示するようにしてもよい。
【００６２】
〔無線センサへのネットワーク識別子の設定〕
上述した実施の形態では、無線通信機器２をルータとした場合について説明したが、無線通信機器２を無線センサとした場合も同様にして、無線操作端末３からネットワーク識別子の設定を行うことができる。
【００６３】
無線センサは、電池交換コストと手間を省くため、電池交換周期として数年程度の周期が要求される。そのため、無線センサは、消費電流を抑えるため、一般的にはＣＰＵや通信回路は常時スリープモードとなっており、計測および送信を行うときだけアクティブモードになって送信を行う。すなわち、無線センサは、スリープモードとアクティブモードとを備え、その動作モードを定周期でスリープモードからアクティブモードへ切り替える機能を有している。
【００６４】
図１２に無線通信機器２を無線センサとした場合の無線操作端末３からネットワーク識別子を設定する際のシーケンス図を示す。この例において、無線通信機器２−５は、無線センサ（エンドデバイス）であるとする。また、この無線センサ２−５は、図８に示したＰＡＮＩＤ＝１００で特定される無線ネットワークの接続可能圏外に位置しているものとする。
【００６５】
無線センサ２−５には、無線通信機器２−１〜２−４と同様にして、識別子＃０５とＰＡＮＩＤ＝０（第１のネットワーク識別子）と固定ＰＡＮＩＤ＝９９９９（第２のネットワーク識別子）が設定されている。
【００６６】
無線センサ２−５は、自身のネットワーク識別子すなわち第１のネットワーク識別子（ＰＡＮＩＤ＝０）で特定される無線ネットワークに対して接続要求を行う（図１２：矢印（１））。この場合、ＰＡＮＩＤＩＤ＝０で特定される無線ネットワークは存在しないため、第１のネットワーク識別子で特定される無線ネットワークへの接続に失敗する。
【００６７】
そこで、無線センサ２−５は、無線操作端末３に設定されている固有のネットワーク識別子と同一のネットワーク識別子すなわち第２のネットワーク識別子（固定ＰＡＮＩＤ＝９９９９）で特定される無線ネットワークに対して接続要求を行う（図１２：矢印（２））。この場合、無線操作端末３は、固定ＰＡＮＩＤ＝９９９９で特定される無線ネットワークをまだ開催していないため、第２のネットワーク識別子（固定ＰＡＮＩＤ＝９９９９）で特定される無線ネットワークへの接続にも失敗する。
【００６８】
無線センサ２−５は、第１のネットワーク識別子（ＰＡＮＩＤ＝０）で特定される無線ネットワークへの接続も第２のネットワーク識別子（固定ＰＡＮＩＤ＝９９９９）で特定される無線ネットワークへの接続にも失敗するため、第１のネットワーク識別子で特定される無線ネットワークへの接続要求および第２のネットワーク識別子で特定される無線ネットワークへの接続要求を繰り返す。
【００６９】
ここで、無線操作端末３において、ユーザ操作により、固定ＰＡＮＩＤ＝９９９９で特定される無線ネットワークが開催されたとする（図１２：矢印（３））。無線センサ２−５は、固定ＰＡＮＩＤ＝９９９９で特定される無線ネットワークが開催されると、この固定ＰＡＮＩＤ＝９９９９で特定される無線ネットワークへの接続に成功する（図１２：矢印（５））。
【００７０】
図１３に無線操作端末３が開催する固定ＰＡＮＩＤ＝９９９９で特定される無線ネットワークへ無線センサ２−５が接続された状態を示す。この例では、無線操作端末３をコーディネータとし、この無線操作端末３の子ノードとして無線センサ２−５が接続されるため、無線操作端末３は無線センサ２−５が接続されたことを認識することができる。この固定ＰＡＮＩＤ＝９９９９で特定される無線ネットワークへ接続された状態において、無線センサ２−５は、アクティブモードの状態を維持し、常時受信可能な状態となる。
【００７１】
無線操作端末３は、自己が開催する固定ＰＡＮＩＤ＝９９９９で特定される無線ネットワークへの無線センサ２−５の接続を確認すると、この無線センサ２−５の識別子＃０５を自己が開催している無縁ネットワークに接続された無線通信機器の一覧Ｇ１（図１４（ａ）参照）中に表示する（図１２：矢印（６），（７））。
【００７２】
無線センサ２−５は、無線操作端末３が開催する固定ＰＡＮＩＤ＝９９９９で特定される無線ネットワークへの接続に成功すると、この無線ネットワークが存在するか否かのネットワーク存在確認メッセージを親ノードである無線操作端末３へ送信する（図１２：矢印（８））。
【００７３】
無線操作端末３は、無線センサ２−５からのネットワーク存在確認メッセージを受信して、固定ＰＡＮＩＤ＝９９９９で特定される無線ネットワークが存在することを示す応答メッセージを返送する（図１２：矢印（９））。
【００７４】
無線センサ２−５は、無線操作端末３からの固定ＰＡＮＩＤ＝９９９９で特定される無線ネットワークが存在することを示す応答メッセージを受信して、無線操作端末３へのネットワーク存在確認メッセージの送信を繰り返す。
【００７５】
ここで、ユーザは、無線センサ２−５に、所望のネットワーク識別子としてＰＡＮＩＤ＝１００を設定したいとする。この場合、ユーザは、無線操作端末３が表示している無線通信機器の一覧Ｇ１中、無線センサ２−５の識別子＃０５を選択する。すると、無線操作端末３は、ネットワーク識別子の入力部Ｇ２（図１４（ｂ））を表示する。この入力部Ｇ２より、ユーザは、所望のネットワーク識別子としてＰＡＮＩＤ＝１００を入力する。
【００７６】
すると、無線操作端末３は、この入力部Ｇ２より入力されたネットワーク識別子をユーザが指定した所望のネットワーク識別子として、無線センサ２−５へ送信する（図１２：矢印（１０））。
【００７７】
無線センサ２−５は、無線操作端末３から送信されてくるネットワーク識別子を受信し、この受信したネットワーク識別子を自身の新たなネットワーク識別子として、メモリに記憶されている現在の自身のネットワーク識別子（第１のネットワーク識別子）を更新する。これにより、メモリに記憶されているＰＡＮＩＤ＝０がＰＡＮＩＤ＝１００に書き替えられる（図１５参照）。
【００７８】
ユーザは、このようにして無線センサ２−５に所望のネットワーク識別子を設定した後、無線操作端末３が開催している固定ＰＡＮＩＤ＝９９９９で特定される無線ネットワークの動作を停止させる（図１２：矢印（１１））。
【００７９】
無線操作端末３が開催している固定ＰＡＮＩＤ＝９９９９で特定される無線ネットワークの動作が停止すると、無線センサ２−５から送信されるネットワーク存在確認メッセージに対し（図１２：矢印（１２））、無線操作端末３からの応答がなくなる（図１２：矢印（１３））。
【００８０】
これにより、無線センサ２−５は、固定ＰＡＮＩＤ＝９９９９で特定される無線ネットワークが存在しなくなったことを知る。これにより、無線センサ２−５は、再び、第１のネットワーク識別子（ＰＡＮＩＤ＝１００）で特定される無線ネットワークへの接続要求および第２のネットワーク識別子（固定ＰＡＮＩＤ＝９９９９）で特定される無線ネットワークへの接続要求を繰り返す状態となる（図１２：矢印（１４），（１５））。
【００８１】
ユーザは、この無線センサ２−５をコーディネータ１が開催しているＰＡＮＩＤ＝１００で特定される無線ネットワークの接続可能圏内に設置する（図１６参照）。すると、無線センサ２−５は、第１のネットワーク識別子（ＰＡＮＩＤ＝１００）で特定される無線ネットワークへの接続要求を行った時点で、コーディネータ２−１が開催しているＰＡＮＩＤ＝１００で特定される無線ネットワークへの接続に成功する（図１４：矢印（１６））。この例では、無線通信機器（ルータ）２−４の子デバイスとして無線ネットワークに加入したものとする（図１７参照）。
【００８２】
無線センサ２−５は、自身のネットワーク識別子（ＰＡＮＩＤ＝１００）で特定される無線ネットワークに接続したため、以降は、その動作モードを定周期でスリープモードからアクティブモードに移行させる定周期アクティブモード（通常のモード）に移行する。
【００８３】
この例では、無線操作端末３から無線センサ２−５へネットワーク識別子を設定する場合を例にとって説明したが、同様にして通信アドレスや送信周期などの機器情報を設定することも可能である。この場合、無線センサ２−５は、無線操作端末３が開催する無線ネットワークに接続されると、常時受信可能な状態となるので、無線センサ２に機器情報を設定するためのディップスイッチ等の物理的設定手段を設けたり、強制的にアクティブモードとなるようなスイッチ等の切替手段を設けたりする必要がなく、コストダウンが図られる。
【００８４】
図１８に無線センサ２−５の機能ブロック図を示す。無線センサ２−５は、図１０に示した無線通信機器２の構成に加えて、無線センサ２−５の動作モードを定周期でスリープモードからアクティブモードに移行させる定周期アクティブモード移行部２Ｅと、無線センサ２−５の動作モードをアクティブモードの状態に維持するアクティブモード維持部２Ｆとを備えている。
【００８５】
この無線センサ２−５において、第１の無線ネットワーク接続部２Ｂ１は、第１のネットワーク識別子で特定される無線ネットワークとの接続に成功した場合、定周期アクティブモード移行部２Ｅへ指令を送り、無線センサ２−５の動作モードを定周期アクティブモード（通常のモード）とする。また、第２の無線ネットワーク接続部２Ｂ２は、第２のネットワーク識別子で特定される無線ネットワークとの接続に成功した場合、アクティブモード維持部２Ｆへ指令を送り、無線センサ２−５の動作モードをアクティブモードの状態に維持する。
【産業上の利用可能性】
【００８６】
本発明の無線通信システムは、通信幹線を無線化したメッシュ構造の中規模、大規模の監視制御システムなど様々な分野で利用することが可能である。具体的には、ＶＡＶ（可変風量調節）による居室内空調システムへの適用などが考えられる。
【符号の説明】
【００８７】
１…コーディネータ、２（２−１〜２−５）…無線通信機器（ルータ、無線センサ）、３…無線操作端末、Ｇ１…無線通信機器の一覧、Ｇ２…ネットワーク識別子の入力部、２Ａ…ネットワーク識別子記憶部、２Ｂ…無線ネットワーク接続部、２Ｂ１…第１の無線ネットワーク接続部、２Ｂ２…第２の無線ネットワーク接続部、２Ｃ…ネットワーク存在確認部、２Ｄ…ネットワーク識別子更新部、２Ｅ…定周期アクティブモード移行部、２Ｆ…アクティブモード維持部、３Ａ…固有のネットワーク識別子記憶部、３Ｂ…無線ネットワーク管理部、３Ｃ…ノード情報取得部、３Ｄ…ノード情報表示部、３Ｅ…ネットワーク識別子入力部表示部、３Ｆ…ネットワーク識別子送信部。
【図１】
2011030053.tif 000003
【図２】
2011030053.tif 000004
【図３】
2011030053.tif 000005
【図４】
2011030053.tif 000006
【図５】
2011030053.tif 000007
【図６】
2011030053.tif 000008
【図７】
2011030053.tif 000009
【図８】
2011030053.tif 000010
【図９】
2011030053.tif 000011
【図１０】
2011030053.tif 000012
【図１１】
2011030053.tif 000013
【図１２】
2011030053.tif 000014
【図１３】
2011030053.tif 000015
【図１４】
2011030053.tif 000016
【図１５】
2011030053.tif 000017
【図１６】
2011030053.tif 000018
【図１７】
2011030053.tif 000019
【図１８】
2011030053.tif 000020